(57)【要約】      （修正有）【課題】簡素でモダンな仏壇でもリン部材とこのリン部材を叩く叩打部材とを一体とした現代風のリン具として充分にマッチすると共に、持ち主の好ましい色や音色のリン部材に変更可能な枠体一体型リン具を提供する。【解決手段】椀状のリン部材１１と、リン部材１１の開口部内に配置された叩打塊１３と、椀状のリン部材１１の開口部に対向する底部と連結される枠体１５とを備え、枠体１５がリン部材１１及び叩打塊１３と一体となった状態で自立可能な底面部を備えた叩打塊１３によりリン部材１１が打ち鳴らされる枠体一体型リン具１０であって、リン部材１１が枠体１５に対して取り外し可能な係止手段によって取付けられている。【選択図】図１
0003194139.tif 000002
【実用新案登録請求の範囲】
【請求項１】
椀状のリン部材と、該リン部材の開口部内に配置された叩打部材と、前記椀状のリン部材の開口部に対向する底部と連結される枠体とを備え、
前記枠体がリン部材及び叩打部材と一体となった状態で自立可能な底面部を備えた前記叩打部材により前記リン部材が打ち鳴らされるリン具であって、
前記リン部材が前記枠体に対して取り外し可能な係止手段によって取付けられていることを特徴とする枠体一体型リン具。
【請求項２】
椀状のリン部材と、該リン部材の開口部内に配置された叩打部材と、前記椀状のリン部材の開口部に対向する底部と連結される枠体とを備え、
前記枠体がリン部材及び叩打部材と一体となった状態で自立可能な底面部を備えた前記叩打部材により前記リン部材が打ち鳴らされるリン具であって、
前記リン部材が前記枠体に対して取り外し可能な係止手段によって吊下された状態で取付けられ、
前記叩打部材が前記椀状のリン部材の開口部に対向する底部に吊下された状態で取付けられていることを特徴とする枠体一体型リン具。
【請求項３】
椀状のリン部材と、該リン部材の開口部内に配置された叩打部材と、前記椀状のリン部材の開口部に対向する底部と連結される枠体とを備え、
前記枠体がリン部材及び叩打部材と一体となった状態で自立可能な底面部を備えた前記叩打部材により前記リン部材が打ち鳴らされるリン具であって、
前記リン部材が前記枠体に対して取り外し可能な係止手段によって吊下された状態で取付けられ、
前記叩打部材が前記椀状のリン部材の開口部に対向する底部に吊下された状態で取付けられており、
前記枠体の外形がリンゴ又は小鳥をかたどったものであることを特徴とする枠体一体型リン具。
【請求項４】
椀状のリン部材と、該リン部材の開口部内に配置された叩打部材と、前記椀状のリン部材の開口部に対向する底部と連結される枠体とを備え、
前記枠体がリン部材及び叩打部材と一体となった状態で自立可能な底面部を備えた前記叩打部材により前記リン部材が打ち鳴らされるリン具であって、
前記リン部材が前記枠体に対して取り外し可能な係止手段によって前記枠体の底部にリン部材の開口を上方に向けた状態で取付けられ、
前記叩打部材が前記椀状のリン部材の開口部に対向する底部に弾性支持体を介して揺動可能に取付けられていることを特徴とする枠体一体型リン具。
【請求項５】
椀状のリン部材と、該リン部材の開口部内に配置された叩打部材と、前記椀状のリン部材の開口部に対向する底部と連結される枠体とを備え、
前記枠体がリン部材及び叩打部材と一体となった状態で自立可能な底面部を備えた前記叩打部材により前記リン部材が打ち鳴らされるリン具であって、
前記リン部材が前記枠体に対して取り外し可能な係止手段によって前記枠体の底部にリン部材の開口を上方に向けた状態で取付けられ、
前記叩打部材が前記椀状のリン部材の開口部に対向する底部に弾性支持体を介して揺動可能に取付けられており、
前記枠体の外形が栗をかたどったものであることを特徴とする枠体一体型リン具。
【考案の詳細な説明】
【技術分野】
【０００１】
本考案は、リン部材とこのリン部材を叩く叩打部材とリン部材を内側に保持する枠体とを一体とした現代風の枠体一体型リン具の工夫に関するものである。
【背景技術】
【０００２】
本出願人は、仏壇に御参りする際にリン棒で叩いて音を出す碗状の金属製の「おりん」と、これを支えるリン台とからなり、前記おりんの底面中央部に、リン台とを一体に連結する連結手段を備える高台りんを既に提案している（特許文献１参照）。「おりん」とは、仏壇、祭壇等に載置され、勤行（ごんぎょう）の際に椀状のりん本体をりん棒と呼ばれるバチで打って音を出すものある。
【０００３】
本来、仏壇は所謂「お寺のミニチュア」として本尊を祀るものであった。しかし、近年では、ライフスタイルの変化により、畳を敷いた部屋のないフローリングのみの家屋やマンション等の住居が現れるに従い、従来の仏間に置かれた仏壇とは相違する現代的な仏壇が現れてもいる。この現代的な仏壇を、「お寺のミニチュア」でなく、故人や先祖を供養するためのものとして捉える人も増えてきている。
【０００４】
この現代的な仏壇としては、リビングにおいても何ら違和感のないようなデザインが好まれている。即ち、華美な装飾を施さないシンプルな仏壇が好まれるため「家具調仏壇」とも呼ばれ、この仏壇に応じて仏壇内に収納される仏具も、よりシンプルなデザインのものが好まれつつある。例えば、「おりん」についても、「りん台」と呼ばれる台の上に、「りん布団」と呼ばれる中敷を置き、その上に「おりん」を乗せる従来の「おりん」ではなく、リン台やりん布団を敷かずに用いるシンプルなリン具が選ばれている。
【０００５】
そのような新型のリン具についても、本出願人は、リン本体を、リン布団上に載置することなく従来より残響時間の持続や良好な音色の余韻を確保できる支持機構を備えたリン具を提供し、更に、音色や外観に趣を与える構成を備えたリン具も提案している（特許文献２）。
【先行技術文献】
【特許文献】
【０００６】
【特許文献１】実用新案登録第３０５４６０７号公報
【特許文献２】実用新案登録第３１１０７３９号公報
【考案の概要】
【考案が解決しようとする課題】
【０００７】
更に、本考案は、従来の勤行の際に音を出すものではなく、簡素でモダンな仏壇でもリン部材とこのリン部材を叩く叩打部材とを一体とした現代風のリン具として充分にマッチする新型のリン具を得ることを目的とし、持ち主の好ましい色や音色のリン具に変更可能な新型のリン具を得ることを目的とする。
【課題を解決するための手段】
【０００８】
請求項１に記載された考案に係る枠体一体型リン具は、椀状のリン部材と、該リン部材の開口部内に配置された叩打部材と、前記椀状のリン部材の開口部に対向する底部と連結される枠体とを備え、
前記枠体がリン部材及び叩打部材と一体となった状態で自立可能な底面部を備えた前記叩打部材により前記リン部材が打ち鳴らされるリン具であって、
前記リン部材が前記枠体に対して取り外し可能な係止手段によって取付けられていることを特徴とするものである。
【０００９】
請求項２に記載された考案に係る枠体一体型リン具は、椀状のリン部材と、該リン部材の開口部内に配置された叩打部材と、前記椀状のリン部材の開口部に対向する底部と連結される枠体とを備え、
前記枠体がリン部材及び叩打部材と一体となった状態で自立可能な底面部を備えた前記叩打部材により前記リン部材が打ち鳴らされるリン具であって、
前記リン部材が前記枠体に対して取り外し可能な係止手段によって吊下された状態で取付けられ、
前記叩打部材が前記椀状のリン部材の開口部に対向する底部に吊下された状態で取付けられていることを特徴とするものである。
【００１０】
請求項３に記載された考案に係る枠体一体型リン具は、椀状のリン部材と、該リン部材の開口部内に配置された叩打部材と、前記椀状のリン部材の開口部に対向する底部と連結される枠体とを備え、
前記枠体がリン部材及び叩打部材と一体となった状態で自立可能な底面部を備えた前記叩打部材により前記リン部材が打ち鳴らされるリン具であって、
前記リン部材が前記枠体に対して取り外し可能な係止手段によって吊下された状態で取付けられ、
前記叩打部材が前記椀状のリン部材の開口部に対向する底部に吊下された状態で取付けられており、
前記枠体の外形がリンゴ又は小鳥をかたどったものであることを特徴とするものである。
【００１１】
請求項４に記載された考案に係る枠体一体型リン具は、椀状のリン部材と、該リン部材の開口部内に配置された叩打部材と、前記椀状のリン部材の開口部に対向する底部と連結される枠体とを備え、
前記枠体がリン部材及び叩打部材と一体となった状態で自立可能な底面部を備えた前記叩打部材により前記リン部材が打ち鳴らされるリン具であって、
前記リン部材が前記枠体に対して取り外し可能な係止手段によって前記枠体の底部にリン部材の開口を上方に向けた状態で取付けられ、
前記叩打部材が前記椀状のリン部材の開口部に対向する底部に弾性支持体を介して揺動可能に取付けられていることを特徴とするものである。
【００１２】
請求項５に記載された考案に係る枠体一体型リン具は、椀状のリン部材と、該リン部材の開口部内に配置された叩打部材と、前記椀状のリン部材の開口部に対向する底部と連結される枠体とを備え、
前記枠体がリン部材及び叩打部材と一体となった状態で自立可能な底面部を備えた前記叩打部材により前記リン部材が打ち鳴らされるリン具であって、
前記リン部材が前記枠体に対して取り外し可能な係止手段によって前記枠体の底部にリン部材の開口を上方に向けた状態で取付けられ、
前記叩打部材が前記椀状のリン部材の開口部に対向する底部に弾性支持体を介して揺動可能に取付けられており、
前記枠体の外形が栗をかたどったものであることを特徴とするものである。
【考案の効果】
【００１３】
本考案は、従来の勤行の際に音を出すものではなく、簡素でモダンな仏壇でもリン部材とこのリン部材を叩く叩打部材とを一体とした現代風のリン具として充分にマッチする新型のリン具を得ることができ、好ましい色や音色のリン具に変更可能な新型のリン具を得ることができるという効果がある。
【図面の簡単な説明】
【００１４】
【図１】本考案の枠体一体型リン具の一実施例の構成を示す説明図であり、ａ図は正面図、ｂ図は平面図、ｃ図は側面図、ｄ図は断面図である。
【図２】本考案の枠体一体型リン具の別の実施例の構成を示す説明図であり、ａ図は正面図、ｂ図は平面図、ｃ図は左側面図、ｄ図は右側面図、ｅ図は断面図である。
【図３】本考案の枠体一体型リン具の更に別の実施例の構成を示す説明図であり、ａ図は正面図、ｂ図は平面図、ｃ図は側面図、ｄ図は断面図である。
【考案を実施するための形態】
【００１５】
本考案においては、椀状のリン部材と、該リン部材の開口部内に配置された叩打部材と、前記椀状のリン部材の開口部に対向する底部と連結される枠体とを備え、この枠体がリン部材及び叩打部材と一体となった状態で自立可能な底面部を備えた前記叩打部材により前記リン部材が打ち鳴らされるリン具である。このリン具のリン部材が枠体に対して取り外し可能な係止手段によって取付けられていることにより、従来の勤行の際に音を出すものではなく、簡素でモダンな仏壇でもリン部材とこのリン部材を叩く叩打部材とを一体とした現代風のリン具として充分にマッチすることができ、好ましい色や音色のリン具に変更可能な新型のリン具を得ることができる。
【００１６】
本考案の椀状のリン部材は、このリン部材を叩く叩打部材とリン部材を内側に保持する枠体とを一体とした現代風の枠体一体型リン具であるため、リン部材の開口部内に配置された叩打部材によって叩打され、音が鳴る。このため、本考案の枠体一体型リン具を枠体ごと持ち上げて手持ちベルのように手で振ることにより、叩打部材が振れてリン部材に当たり音を鳴らすことができ、手持ちベルでは実現ができなかった、仏壇の側に置いても、枠体によってリン部材が設置しないために、リン部材の音が、長く響く効果を奏する。
【００１７】
本考案の枠体一体側リン具のリン部材としては、叩打により音が出る金属製の器状のものであればよく、例えば、真鍮製、鉄製、青銅製、銅製、金製等のものが選択される。また、リン部材は、その大きさ、厚さ、素材の相違によって音程や音色が相違する。更に、メッキの有無、メッキ金属の相違によって色も相違する。そのため、好ましくは、持ち主に応じて選択可能な種々の音程、音色、色を選択可能に種々のリン部材を取り揃えておく。
【００１８】
また、本考案の枠体としては、椀状のリン部材の開口部に対向する底部と連結されるものであればよく、リン部材及び叩打部材と一体となった状態で自立可能であれば、どのような素材であってもよく、好ましくは安定性を得るためにリン部材と同じく金属製で構成されればよい。また、枠体の外形としては、種々の形状を獲ることができる。例えば、リンゴ又は小鳥をかたどったものや、栗をかたどったものが挙げられる。
【００１９】
本考案のリン具は、リン部材が枠体に対して取り外し可能な係止手段によって取付けられている。この係止手段としては、種々の係止手段が選択可能であるが、雌ネジ及び雄ネジの螺合によるものが最も簡便である。例えば、枠体の固定位置に雌ネジ孔を螺刻しこの雌ネジに螺合する雄ネジを椀状のリン部材の開口部に対向する底部に突設して設けこれらを螺合して取付けてもよい。また、枠体及びリン部材の接合位置の各々に取付け孔を穿設し、これら取付け孔に雄ネジを通して、対向する側に雌ネジで螺合させて固定してもよい。この場合には、枠体に雌ネジ孔を形成できる程の厚みのない状況でも良好に取り外し可能に係止することができる。
【００２０】
本考案の叩打部材としては、リン部材の開口部内に配置されるものであればよく、枠体ごと持ち上げて手持ちベルのように手で振ることにより、叩打部材が振れてリン部材に当たり音を鳴らすものであればよい。そのため、叩打部材の素材としても、リン部材と同様に金属製のものを含め、硬質の木材製等を選択することが可能である。また、本体の叩打部材とは別にバチやりん棒を近くに置いておき、そのバチやりん棒でリン部材を叩打して音を鳴らしたりすることもできる。
【００２１】
具体的なリン部材と枠体との取付けは、リン部材が枠体に対して吊下された状態で取付けられた場合には、叩打部材が前記椀状のリン部材の開口部に対向する底部に吊下された状態で取付けられているものが挙げられる。別の例としては、リン部材が枠体に対してリン部材の開口を上方に向けた状態で取付けられた場合には、叩打部材が椀状のリン部材の開口部に対向する底部に弾性支持体を介して揺動可能に取付けられているものが挙げられる。
【００２２】
また、叩打部材の取付けに際しては、リン部材自体に予め取付けてもよいし、リン部材の枠体への取付けの際に同時に取付けられるようにしてもよい。例えば、前述のように、雄ネジを椀状のリン部材の開口部に対向する底部に突設して設ける際に、リン部材の内側に叩打部材を吊下する吊下材を取付けるか、叩打部材を支持する弾性支持体を取付けた上で、枠体の固定位置に螺刻された雌ネジ孔に雄ネジを螺合させて固定してもよい。また、枠体及びリン部材の接合位置の各々に取付け孔を穿設する場合には、リン部材の内側に配置される雄ネジの頭か雌ネジの一端部に叩打部材を吊下する吊下材を取付けるか、叩打部材を支持する弾性支持体を取付ければよい。
【実施例】
【００２３】
図１は本考案の枠体一体型リン具の一実施例の構成を示す説明図であり、ａ図は正面図、ｂ図は平面図、ｃ図は側面図、ｄ図は断面図である。図１に示す通り、本実施例の枠体一体型リン具１０は、リンゴの外形をかたどった枠体１５と、その上部にリンゴのヘタをかたどった手持ち部１７を備えた雄ネジ１８によって取付けられる伏した椀状のリン部材１１と、リン部材の開口部の内側に吊下される球状の叩打塊１３とからなる。
【００２４】
枠体１５は上部の幅よりも底部の幅の方が幅広となり、この底部によって安定して立設させることができる。枠体１５とリン部材１１との連結は、枠体１５と椀状のリン部材１１の開口部に対向する底部（即ち、最上面）とに穿設された穿設孔に雄ネジ１８を挿入し、リン部材１１の内部でこの雄ネジ１８と雌ネジ孔を備えたナット材１６との螺合によってなされる。
【００２５】
尚、雄ネジ１８の手持ち部１７と枠体１５との当接面には樹脂製のリング状緩衝材１９ａが、枠体１５とリン部材１１の底部との当接面にも樹脂製のリング状緩衝材１９ｂが介在される。また、ナット材１６には、吊下材としての金属製線材１２の一端部が固定されており、線材１２の他端部には球状の叩打塊１３が取付けられている。
【００２６】
本実施例の枠体一体型リン具１０については、リン部材の大きさ、厚さ、素材の相違によって音程や音色を相違させ、更に、相違する素材のメッキによって色を相違させたものを多数作製しておき、販売に際しては、既存のリン部材の雄ネジ１８を取り外し、購入者が選択したリン部材１１に取り換えて販売する。これにより、簡素でモダンな仏壇でも現代風のリン具として充分にマッチし、好ましい色や音色のリン具に変更可能となる利点がある。
【００２７】
図２は本考案の枠体一体型リン具の別の実施例の構成を示す説明図であり、ａ図は正面図、ｂ図は平面図、ｃ図は左側面図、ｄ図は右側面図、ｅ図は断面図である。図２に示す通り、別の実施例の枠体一体型リン具２０は、小鳥の外形をかたどった枠体２５と、その上部の穿設孔に配した雄ネジ２８によって取付けられる伏した椀状のリン部材２１と、リン部材の開口部の内側に吊下される球状の叩打塊２３とからなる。
【００２８】
枠体２５は上部の幅よりも底部の幅の方が幅広となり、この底部によって安定して立設することができる。尚、枠体２５の底部は枠体の長手方向に沿って曲面となっており、枠体２５の小鳥の頭が上下するように揺れることができる。このため、枠体２５の小鳥の頭部分又は尻尾部分に振れて枠体２５自体を揺らすことによっても、叩打塊２３がリン部材２１に当たって音が鳴る。枠体２５とリン部材２１との連結は、枠体２５と椀状のリン部材２１の開口部に対向する底部とに穿設された穿設孔に雄ネジ２８を挿入し、リン部材２１の内部でこの雄ネジ２８と雌ネジ孔を備えたナット材２６との螺合によってなされる。
【００２９】
尚、枠体２５とリン部材２１の底部との当接面にも樹脂製のリング状緩衝材２９が介在される。また、ナット材２６には、吊下材としての金属製線材２２の一端部が固定されており、線材２２の他端部には球状の叩打塊２３が取付けられている。
【００３０】
本実施例の枠体一体型リン具２０についても、リン部材２１の大きさ、厚さ、素材の相違によって音程や音色を相違させ、更に、相違する素材のメッキによって色を相違させたものを多数作製しておき、販売に際しては、既存のリン部材の雄ネジ２８を取り外し、購入者が選択したリン部材２１に取り換えて販売する。これにより、簡素でモダンな仏壇でも現代風のリン具として充分にマッチし、好ましい色や音色のリン具に変更可能となる利点がある。
【００３１】
図３は本考案の枠体一体型リン具の更に別の実施例の構成を示す説明図であり、ａ図は正面図、ｂ図は平面図、ｃ図は側面図、ｄ図は断面図である。図３に示す通り、更に別の実施例の枠体一体型リン具３０は、栗の外形をかたどった枠体３５と、その下部の穿設孔に配された雄ネジ３８によって取付けられる椀状のリン部材３１と、リン部材３１の開口部の内側に立設された球状の叩打塊３３とからなる。
【００３２】
枠体３５は上部の幅よりも底部の幅の方が幅広となり、この底部によって安定して立設することができる。尚、枠体３５の底部は枠体の長手方向に沿って曲面となっており、枠体３５の上部が長手方向に沿って揺れることができる。このため、枠体３５の上部に振れて枠体３５自体を揺らすことによっても、叩打塊３３がリン部材３１に当たって音が鳴る。枠体３５とリン部材３１との連結は、枠体３５と椀状のリン部材３１の開口部に対向する底部とに穿設された穿設孔に雄ネジ３８を挿入し、リン部材３１の内部でこの雄ネジ３８と雌ネジ孔を備えたナット材３６との螺合によってなされる。
【００３３】
尚、枠体３５とリン部材３１の底部との当接面にも樹脂製のリング状緩衝材３９が介在される。また、ナット材３６には、弾性支持体としてのバネ材３２の一端部が固定されており、バネ材３２の他端部には球状の叩打塊３３が取付けられている。
【００３４】
本実施例の枠体一体型リン具３０についても、リン部材３１の大きさ、厚さ、素材の相違によって音程や音色を相違させ、更に、相違する素材のメッキによって色を相違させたものを多数作製しておき、販売に際しては、既存のリン部材の雄ネジ３８を取り外し、購入者が選択したリン部材３１に取り換えて販売する。これにより、簡素でモダンな仏壇でも現代風の新型リン具として充分にマッチし、好ましい色や音色のリン具に変更可能となる利点がある。
【産業上の利用可能性】
【００３５】
本考案の枠体一体側リン具は、簡素でモダンな仏壇の仏具としても用いることができ、持ち主の好みに合わせて音程、音色、色を選択することが可能となる。
【符号の説明】
【００３６】
１０  …枠体一体型リン具、
１１  …リン部材、
１２  …金属製線材、
１３  …叩打塊、
１５  …枠体、
１６  …ナット材、
１７  …手持ち部、
１８  …雄ネジ、
１９ａ…リング状緩衝材、
１９ｂ…リング状緩衝材、
２０  …枠体一体型リン具、
２１  …リン部材、
２２  …金属製線材、
２３  …叩打塊、
２５  …枠体、
２６  …ナット材、
２８  …雄ネジ、
２９  …リング状緩衝材、
３０  …枠体一体型リン具、
３１  …リン部材、
３２  …バネ材（弾性支持体）、
３３  …叩打塊、
３５  …枠体、
３６  …ナット材、
３８  …雄ネジ、
３９  …リング状緩衝材、
【図１】
0003194139.tif 000003
【図２】
0003194139.tif 000004
【図３】
0003194139.tif 000005